(57)【要約】【課題】試験者が広範囲なエリアを移動せずに、設置された基地局と所定の移動機との通信可否に係る性能試験を仮想空間にて行う基地局試験装置を提供する。【解決手段】基地局試験装置１００と基地局２００とが有線ケーブルを介して接続された基地局試験システム１０において、基地局試験装置１００が、空間形状情報を入力すると、空間形状情報に基づき第１メモリ１０２に仮想空間を展開し、基地局２００が、移動機との通信のための信号を基地局試験装置１００に送信し、基地局試験装置１００が、信号を受信すると、当該信号を仮想空間内の仮想基地局４０１の送信信号として割当て、仮想空間内の仮想移動機４０２が送信信号を受信可能か否かを計算し、計算結果を出力する。【選択図】図２
2007325111.tif 000002
【特許請求の範囲】
【請求項１】
空間形状情報を入力する入力手段と、
前記空間形状情報に基づき仮想空間を展開する展開手段と、
所定の基地局より信号を受信する受信手段と、
前記仮想空間と前記信号に基づき、前記仮想空間内の仮想移動機が前記信号を受信可能か否かを計算する計算手段と、
前記計算手段において計算された計算結果を出力する出力手段と、
を有することを特徴とする基地局試験装置。
【請求項２】
空間形状情報を入力する入力手段と、
前記空間形状情報に基づき仮想空間を展開する展開手段と、
所定の基地局より所定の移動機との通信のための信号を受信する受信手段と、
前記仮想空間と前記信号に基づき、前記仮想空間内の仮想移動機が前記信号を受信可能か否かを計算する計算手段と、
前記計算手段において計算された計算結果を出力する出力手段とを有し、
前記計算手段は、前記仮想移動機にて受信する前記信号の電界強度が所定の値であるか否かの計算することにより、前記仮想移動機が前記信号を受信可能か否かを計算することを特徴とする基地局試験装置。
【請求項３】
空間形状情報を入力する入力手段と、
前記空間形状情報に基づき仮想空間を展開する展開手段と、
所定の基地局より所定の移動機との通信のための信号を受信する受信手段と、
前記仮想空間と前記信号に基づき、前記仮想空間内の仮想移動機が前記信号を受信可能か否かを計算する計算手段と、
前記計算手段において計算された計算結果を出力する出力手段とを有し、
前記仮想移動機は、前記仮想空間内の所定のルートを移動し、
前記計算手段は、前記移動する仮想移動機にて受信する前記信号の電界強度が所定の値であるか否かの計算することにより、前記仮想移動機が前記信号を受信可能か否かを計算することを特徴とする基地局試験装置。
【請求項４】
前記電界強度の計算において、レイトレーシングを用いることを特徴とする請求項２または３記載の基地局試験装置。
【請求項５】
前記計算結果を画面上に表示する表示手段を有することを特徴とする請求項１乃至３記載の基地局試験装置。
【請求項６】
基地局試験装置と基地局とがネットワークを介して接続された基地局試験システムにおいて、
前記基地局が
信号を前記基地局試験装置に送信する送信手段を有し、
前記基地局試験装置が、
空間形状情報を入力する入力手段と、
前記空間形状情報に基づき仮想空間を展開する展開手段と、
前記基地局より信号を受信する受信手段と、
前記信号を前記仮想空間内の仮想基地局の送信信号として割当てる割当手段と、
前記仮想空間内の仮想移動機が前記送信信号を受信可能か否かを計算する計算手段と、
前記計算手段において計算された計算結果を出力する出力手段を有することを特徴とする基地局試験システム。
【請求項７】
基地局試験装置と基地局とがネットワークを介して接続された基地局試験システムにおいて、
前記基地局が
所定の移動機との通信のための信号を前記基地局試験装置に送信する送信手段を有し、
前記基地局試験装置が、
空間形状情報を入力する入力手段と、
前記空間形状情報に基づき仮想空間を展開する展開手段と、
前記基地局より信号を受信する受信手段と、
前記信号を前記仮想空間内の仮想基地局の送信信号として割当てる割当手段と、
前記仮想空間内の仮想移動機が前記送信信号を受信可能か否かを計算する計算手段と、
前記計算手段において計算された計算結果を出力する出力手段とを有し、
前記計算手段は、前記仮想移動機にて受信する前記信号の電界強度が所定の値であるか否かの計算することにより、前記仮想移動機が前記信号を受信可能か否かを計算することを特徴とする基地局試験システム。
【請求項８】
基地局試験装置と基地局とがネットワークを介して接続された基地局試験システムにおいて、
前記基地局が
所定の移動機との通信のための信号を前記基地局試験装置に送信する送信手段を有し、
前記基地局試験装置が、
空間形状情報を入力する入力手段と、
前記空間形状情報に基づき仮想空間を展開する展開手段と、
前記基地局より信号を受信する受信手段と、
前記信号を前記仮想空間内の仮想基地局の送信信号として割当てる割当手段と、
前記仮想空間内の仮想移動機が前記送信信号を受信可能か否かを計算する計算手段と、
前記計算手段において計算された計算結果を出力する出力手段を有し、
前記仮想移動機は、前記仮想空間内の所定のルートを移動し、
前記計算手段は、前記移動する仮想移動機にて受信する前記信号の電界強度が所定の値であるか否かの計算することにより、前記仮想移動機が前記信号を受信可能か否かを計算することを特徴とする基地局試験システム。
【請求項９】
前記ネットワークが有線ケーブルであることを特徴とする請求項６乃至８記載の基地局試験システム。
【請求項１０】
基地局試験装置と基地局とがネットワークを介して接続された基地局試験システムの基地局試験方法において、
前記基地局試験装置が、
空間形状情報を入力するステップと、
前記空間形状情報に基づき仮想空間を展開するステップと、
前記基地局が、
信号を送信するステップと、
前記基地局試験装置が、
前記信号を受信するステップと、
前記信号を前記仮想空間内の仮想基地局の送信信号として割当てるステップと、
前記仮想空間内の仮想移動機が前記送信信号を受信可能か否かを計算するステップと、
前記計算結果を出力する出力ステップを有することを特徴とする基地局試験システムの基地局試験方法。
【発明の詳細な説明】
【技術分野】
【０００１】
本発明は、無線通信システムに使用する、基地局を試験する基地局試験装置に関する。特に、本発明は、コンピュータシュミレーションによる屋外環境と同等の仮想空間において、仮想の基地局（以下、仮想基地局）と仮想の移動機（以下、仮想移動機）との通信可否に係る性能試験を行う、基地局試験装置に関する。
【背景技術】
【０００２】
従来、特開平９−１３５４７５号公報には、仮想空間における、仮想基地局の最適な配置場所を選出する基地局配置装置が開示されている。この基地局配置装置が選出する仮想基地局の配置場所は、仮想基地局が、仮想空間を最も広域にわたりカバーできる場所である。ここで、仮想基地局の配置場所を選出する方法について詳述する。基地局配置装置は、まず自機のメモリ上に点在させた格子点上に、基地局がサービスを行う構内の形状データや建物データを展開する。次に、格子点と他の格子点との見通し情報を格子点毎に生成する。最後に、それら格子点の中で構内を最も広域にわたり見通せる格子点すなわち仮想基地局の配置場所を選出する。
【０００３】
上記方法で選出された格子点が、実際の基地局の配置場所となり、この場所に実際の基地局が設置される。
【０００４】
【特許文献１】特開平９−１３５４７５号公報
【発明の開示】
【発明が解決しようとする課題】
【０００５】
しかしながら、この種の基地局配置装置は、実際に基地局を設置する前に使用されるものであって、基地局設置後では使用されなかった。すなわち、この種の基地局配置装置は、設置された基地局と所定の移動機との通信可否に係る性能試験を仮想空間にて行うものではなかった。
【０００６】
また、実際に基地局が配置された後では、屋外環境における所定の試験場所にて移動機と基地局との通信可否に係る性能試験を実施することが考えられる。
【０００７】
しかしながら、この方法では、移動機を有する試験者が適切な試験場所を探索するために、広範囲なエリアを移動しなければならない問題が生じる。
【０００８】
したがって、本発明の目的は、試験者が広範囲なエリアを移動せずに、設置された基地局と所定の移動機との通信可否に係る性能試験を仮想空間にて行う基地局試験装置を提供することにある。
【課題を解決するための手段】
【０００９】
上記目的を達成するため、本発明の基地局試験装置は、空間形状情報を入力する入力手段と、空間形状情報に基づき仮想空間を展開する展開手段と、所定の基地局より信号を受信する受信手段と、仮想空間と信号に基づき、仮想空間内の仮想移動機が信号を受信可能か否かを計算する計算手段と、計算手段において計算された計算結果を出力する出力手段と、を有することを特徴とする。
【００１０】
また、本発明の基地局試験装置は、空間形状情報を入力する入力手段と、空間形状情報に基づき仮想空間を展開する展開手段と、所定の基地局より所定の移動機との通信のための信号を受信する受信手段と、仮想空間と信号に基づき、仮想空間内の仮想移動機が信号を受信可能か否かを計算する計算手段と、計算手段において計算された計算結果を出力する出力手段とを有し、計算手段は、仮想移動機にて受信する信号の電界強度が所定の値であるか否かの計算することにより、仮想移動機が信号を受信可能か否かを計算することを特徴とする。
【００１１】
また、本発明の基地局試験装置は、空間形状情報を入力する入力手段と、空間形状情報に基づき仮想空間を展開する展開手段と、所定の基地局より所定の移動機との通信のための信号を受信する受信手段と、仮想空間と信号に基づき、仮想空間内の仮想移動機が信号を受信可能か否かを計算する計算手段と、計算手段において計算された計算結果を出力する出力手段とを有し、仮想移動機は、仮想空間内の所定のルートを移動し、計算手段は、移動する仮想移動機にて受信する信号の電界強度が所定の値であるか否かの計算することにより、仮想移動機が信号を受信可能か否かを計算することを特徴とする。
【００１２】
上記のように構成された基地局試験装置は、電界強度の計算において、レイトレーシングを用いるよう構成としてもよい。
【００１３】
さらに、計算結果を画面上に表示する表示手段を有する構成としてもよい。
【００１４】
また、本発明の基地局試験システムは、基地局試験装置と基地局とがネットワークを介して接続された基地局試験システムにおいて、基地局が信号を基地局試験装置に送信する送信手段を有し、基地局試験装置が、空間形状情報を入力する入力手段と、
空間形状情報に基づき仮想空間を展開する展開手段と、基地局より信号を受信する受信手段と、信号を仮想空間内の仮想基地局の送信信号として割当てる割当手段と、仮想空間内の仮想移動機が送信信号を受信可能か否かを計算する計算手段と、計算手段において計算された計算結果を出力する出力手段を有することを特徴とする。
【００１５】
基地局試験装置と基地局とがネットワークを介して接続された基地局試験システムにおいて、基地局が所定の移動機との通信のための信号を基地局試験装置に送信する送信手段を有し、基地局試験装置が、空間形状情報を入力する入力手段と、空間形状情報に基づき仮想空間を展開する展開手段と、
基地局より信号を受信する受信手段と、信号を仮想空間内の仮想基地局の送信信号として割当てる割当手段と、仮想空間内の仮想移動機が送信信号を受信可能か否かを計算する計算手段と、計算手段において計算された計算結果を出力する出力手段とを有し、計算手段は、仮想移動機にて受信する信号の電界強度が所定の値であるか否かの計算することにより、仮想移動機が信号を受信可能か否かを計算することを特徴とする。
【００１６】
また、本発明の基地局試験システムは、基地局試験装置と基地局とがネットワークを介して接続された基地局試験システムにおいて、基地局が所定の移動機との通信のための信号を基地局試験装置に送信する送信手段を有し、基地局試験装置が、
空間形状情報を入力する入力手段と、空間形状情報に基づき仮想空間を展開する展開手段と、基地局より信号を受信する受信手段と、信号を仮想空間内の仮想基地局の送信信号として割当てる割当手段と、仮想空間内の仮想移動機が送信信号を受信可能か否かを計算する計算手段と、計算手段において計算された計算結果を出力する出力手段を有し、仮想移動機は、仮想空間内の所定のルートを移動し、計算手段は、移動する仮想移動機にて受信する信号の電界強度が所定の値であるか否かの計算することにより、仮想移動機が信号を受信可能か否かを計算することを特徴とする。
【００１７】
上記のように構成された基地局試験システムは、ネットワークが有線ケーブルであるよう構成としてもよい。
【００１８】
また、本発明の基地局試験システムの基地局試験方法は、基地局試験装置と基地局とがネットワークを介して接続された基地局試験システムの基地局試験方法において、基地局試験装置が、空間形状情報を入力するステップと、空間形状情報に基づき仮想空間を展開するステップと、基地局が、信号を送信するステップと、基地局試験装置が、信号を受信するステップと、信号を仮想空間内の仮想基地局の送信信号として割当てるステップと、仮想空間内の仮想移動機が送信信号を受信可能か否かを計算するステップと、計算結果を出力する出力ステップを有することを特徴とする。
【発明の効果】
【００１９】
本発明によれば、試験者が広範囲なエリアを移動せずに、設置された基地局と所定の移動機との通信可否に係る性能試験を仮想空間にて行う基地局試験装置を提供できる。
【発明を実施するための最良の形態】
【００２０】
本発明の基地局試験システム１０の実施形態について、図面を参照して詳細に説明する。
【００２１】
図１は、本発明の基地局試験システム１０の概略図である。
【００２２】
図１において、基地局試験システム１０は、ネットワーク３００を介して接続された基地局試験装置１００及び基地局２００から構成される。
【００２３】
基地局試験装置１００は、後述する仮想空間設定情報に基づき、自機のメモリ等の記憶装置上に仮想空間を展開する。仮想空間を展開した基地局試験装置１００は、基地局２００からネットワーク３００を介して信号を受信し、受信した信号と仮想空間とを用いて、基地局２００と所定の移動機との通信可否に係る性能試験を行う。基地局試験装置１００は、例えばスーパーコンピュータ、メインフレーム、ワークステーション又はパーソナルコンピュータなどの情報処理装置である。
【００２４】
ここで、性能試験とは、基地局２００と所定の移動機とが通信できるか否かの試験である。具体的には、基地局２００の送信信号が、所定の位置で移動機が通信可能な電界強度であるか否かの試験である。
【００２５】
ネットワーク３００は、基地局２００から基地局試験装置１００に送信される、移動機との通信のための通信信号を伝搬する回線と、基地局試験装置１００から基地局２００に送信される、基地局２００を制御するための制御信号を伝搬する回線を含んでいる。また、ネットワーク３００は、基地局２００の送信する通信信号を基地局試験装置１００に伝送する。ネットワーク３００の好適な例として、有線ケーブルがある。
【００２６】
図２は、図１に示された基地局試験装置１００及び基地局２００の詳細を説明するブロック図である。
【００２７】
図２において、基地局試験装置１００は、入力部１０１、第１メモリ１０２、表示部１０３、操作部１０４、第２メモリ１０５、送受信部１０６、第３メモリ１０７、プリンタ１０８及び制御回路ユニット１０９を有する。また、基地局２００は、基地局試験装置１００と信号を送受信する送受信部２０１と、基地局としての機能を実現するための図示せぬ構成を有する。続いて、上述した各部の機能について、以下に記す。
【００２８】
入力部１０１は、記憶メディアに予め格納された空間形状情報を入力し、後述する制御回路ユニット１０９に出力する。空間形状情報は、２次元または３次元の空間形状に係る情報であり、例えばカーナビで使用される地図情報である。入力部１０１の好適な例として、ＣＤ−ＲＯＭドライブ、ＤＶＤ−ＲＯＭドライブ又はＭＯドライブがある。ここでは、記憶メディアに格納された空間形状情報を入力しているが、例えば基地局試験装置１００内部のハードディスクやメモリ等に予め格納されたものを入力するようにしてもよい。
【００２９】
第１メモリ１０２は、入力部１０１にて入力された空間形状情報と後述する操作部１０４より入力する空間物性情報を格納する。第１メモリ１０２は、後述する制御回路ユニット１０９からの要求に応じて、格納した空間形状情報に基づき２次元または３次元の座標系をもつ仮想空間を展開する。なお、上述した仮想空間設定情報は空間形状情報と空間物性情報を含んでいる。
【００３０】
表示部１０３は、制御回路ユニット１０９が出力する情報を表示する。表示部１０３の好適な例として、ＣＲＴディスプレイ又はＬＣＤがある。
【００３１】
操作部１０４は、空間物性情報の入力時または性能試験の開始時に操作される。空間物性情報とは、仮想空間内の建物や樹木等の反射・透過係数、仮想空間内の雑音レベル及び基地局が送信する通信信号の周波数など仮想空間を設定するために必要な情報である。操作部１０４の好適な例として、キーボード、マウス又は操作パネルがある。
【００３２】
第２メモリ１０５は、基地局試験装置１００の電源投入時または性能試験開始前に図示せぬ補助記憶部からプログラムを入力し、格納する。また、制御回路ユニット１０９からの要求に応じて、プログラムを制御回路ユニット１０９に転送する。このプログラムはレイトレーシングに係るものであるが、仮想空間内で伝搬する通信信号の電界強度の計算及び伝搬経路の特定可能なものあればこれに限らない。
【００３３】
送受信部１０６は、基地局２００から通信信号を受信し、制御回路ユニット１０９に出力する。また、送受信部１０６は、制御回路ユニット１０９から制御信号を入力し、基地局２００に送信する。
【００３４】
第３メモリ１０７は、制御回路ユニット１０９から性能試験の試験結果に係る情報を入力し、格納する。
【００３５】
プリンタ１０８は、第３メモリ１０７に格納された性能試験の試験結果に係る情報を制御回路ユニット１０９から入力して、その情報を予め用意された用紙にプリントする。
【００３６】
制御回路ユニット１０９は、プロセッサ構成の制御回路を搭載しており、電気点に接続された各部を制御する。
【００３７】
以上説明した各構成要素には、図示せぬ電源部によって電源が供給される。また、第１メモリ１０２、第２メモリ１０５及び第３メモリ１０７に格納される情報は、１つのメモリを複数領域に分割し、各領域に格納してもよい。第１メモリ１０２、第２メモリ１０５及び第３メモリ１０７は、一般にＲＡＭによって構成される。
【００３８】
続いて、本発明の基地局試験システム１０における性能試験の動作概要について、図３を参照して説明する。
【００３９】
図３は、本発明の基地局試験システム１０の性能試験の動作概要を示すフローチャートである。
【００４０】
図３において、性能試験を行うために必要な準備及び仮想空間設定情報の入力が終了すると（ステップＡ１）、基地局試験装置１００において性能試験が実行される（ステップＡ２）。性能試験が終了すると、性能試験結果がプリンタ１０８または表示部１０３に出力され（ステップＡ３）、すべての処理が終了する。各ステップＡ１乃至Ａ３の詳細については、後述する図４及び図６の説明において詳述する。
【００４１】
続いて、上述した図３のステップＡ１について図４を用いて詳述する。
【００４２】
図４は、本発明の性能試験を行うために必要な準備及び仮想空間設定情報の入力に係るフローチャートである。
【００４３】
図４において、まず基地局試験装置１００と基地局２００とがネットワーク３００で接続され、基地局試験装置１００及び基地局２００に電源が投入される。
【００４４】
次に、空間形状情報を記憶した記憶メディアが、入力部１０１に挿入され、入力部１０１は挿入された記憶メディアから空間形状情報を入力する（ステップＢ１）。次に、空間物性情報が操作部１０４より基地局試験装置１００に入力され（ステップＢ２）、入力された空間物性情報は制御回路ユニット１０９に出力される。制御回路ユニット１０９は入力した空間形状情報に基づき空間形状を例えば図５（ａ）に示すように表示部１０３に表示する（ステップＢ３）。また、所定時間経過後、仮想基地局４０１を配置するよう促す旨の指示が表示部１０３に表示される（ステップＢ４）。
【００４５】
続いて、操作部１０４から仮想基地局４０１の配置場所が入力される（ステップＢ５）。具体的には、例えば図５（ｂ）に示すような画面上のポインタ４００が操作部１０４の操作により移動し、続いて操作部１０４より所定の情報が入力されると、その時点でポインタ４００が指し示す位置が仮想基地局の配置場所として入力される。配置場所が指定された仮想基地局４０１は例えば図５（ｃ）に示すように表示部１０３に表示される（ステップＢ６）。また、所定時間経過後、仮想移動機４０２の配置場所を指定するよう促す旨の指示が表示部１０３に表示される（ステップＢ７）。
【００４６】
続いて、操作部１０４から仮想移動機４０２の配置場所が入力される（ステップＢ８）。具体的には、上述した仮想基地局４０１の配置場所の指定方法と同様の方法を用いて行う。指定された仮想移動機４０２は例えば図５（ｄ）に示すように表示部１０３に表示される（ステップＢ９）。また、所定時間経過後、仮想移動機４０２を移動させるか否かを選択するよう促す旨の指示が表示部１０３に表示される（ステップＢ１０）。
【００４７】
続いて、操作部１０４より仮想移動機４０２の移動可否が入力される（ステップＢ１１）。仮想移動機４０２が移動する場合（ステップＢ１２でＹＥＳ）、仮想移動機４０２の移動の終点を入力するよう促す旨の指示が表示部１０３に表示される（ステップＢ１３）。
【００４８】
続いて、上述した仮想基地局４０１の配置方法と同様の方法にて操作部１０４を操作して仮想移動機４０２の移動の終点（以下、終点仮想移動機４０３）を入力する（ステップＢ１４）。入力された終点仮想移動機４０３は、例えば図５（ｅ）に示すように表示部１０３に表示される（ステップＢ１５）。また、所定時間経過後、例えば図５（ｆ）に示すように点線で示されるルート候補が画面上に示される（ステップＢ１６）。
【００４９】
続いて、仮想移動機４０２の移動ルートが選択される（ステップＢ１７）。具体的には、上述したポインタ４００が操作部１０４によって操作され、ポインタ４００が所定のルート上の位置した時に、操作部１０４より所定の情報が入力されると、その時点でポインタ４００が指し示す移動ルートが、仮想移動機４０２の移動ルートとして選択される。
【００５０】
続いて、選択されたルートが、例えば図５（ｇ）に示すように表示部１０３に表示される（ステップＢ１８）。また、所定時間経過後、仮想移動機４０２の移動速度を入力するよう促す旨の指示が表示部１０３に表示される（ステップＢ１９）。
【００５１】
続いて、操作部１０４から移動速度が入力されると（ステップＢ２０）、第１メモリ１０２に記憶された空間形状情報、空間物性情報、指定された仮想基地局４０１の配置位置、仮想移動機４０２の移動ルート及び仮想移動機４０２の移動速度の設定情報を確認する旨の画面が表示部１０３に表示される（ステップＢ２１）。表示後、所定時間経過するまで操作部１０４がまったく操作されない場合は設定情報に変更がないものとして、設定情報を第１メモリ１０２に格納し、処理を終了する。ここで、操作部１０４にて設定情報を変更する旨の操作があった場合には、入力された情報のいずれを訂正したいか問う画面を表示しても良いし、ステップＢ１からやり直すようにしてもよい。
【００５２】
上記ステップＢ１２において、判断結果がＮＯであった場合、すなわち仮想移動機４０２が移動しない場合は、ステップＢ１３乃至２０の処理を省略し、入力した空間形状情報、空間物性情報、仮想基地局４０１の配置位置及び仮想移動機４０２の配置位置を確認する旨の画面が表示部１０３に表示される（ステップＢ２２）。
【００５３】
続いて、上述した図３のステップＡ２及びＡ３について図６を用いて詳述する。
【００５４】
図６は、本発明の基地局試験システム１０における性能試験の動作を示すフローチャートである。
【００５５】
図６において、上述のステップＢ２１またはＢ２２の後、性能試験を開始するか否か選択を促す画面が表示部１０３に表示される（ステップＣ１）。操作部１０４の操作より試験開始の操作がされると（ステップＣ２）、第２メモリ１０５が図示せぬ補助記憶部から性能試験に必要な前述したレイトレーシングに係るプログラムを入力し、格納する（ステップＣ３）。
【００５６】
また、第１メモリ１０２に入力された設定情報に基づき、第１メモリ１０２上に２次元または３次元の座標系を有する２次元または３次元仮想空間を展開する(ステップＣ４)。また、送受信部１０６が基地局２００の送受信部２０１から受信する通信信号を仮想基地局４０１が送信する通信信号として割り当てる（ステップＣ５）。続いて、制御回路ユニット１０９が送受信部１０６に送受信部２０１を制御する制御信号を出力すると、送受信部１０６が送受信部２０１に制御信号を送信する。基地局２００の送受信部２０１が制御信号を受信すると、送受信部１０６へ通信信号の送信を開始する（ステップＣ６）。送受信部２０１より送信された通信信号はネットワーク３００を伝搬し（ステップＣ７）、基地局試験装置１００の送受信部１０６で受信される（ステップＣ８）。受信した送受信部１０６は、通信信号を制御回路ユニット１０９に出力する。
【００５７】
続いて、制御回路ユニット１０９は、入力した通信信号、第１メモリ１０２において展開された仮想空間、第２メモリ１０５に格納されたプログラムを用いて仮想基地局４０１と仮想移動機４０２とが通信可能か否かの計算を実施する（ステップＣ９）。具体的には、仮想移動機４０２にて受信される、仮想基地局４０１より送信された通信信号の電界強度の計算を行い、その電界強度が所定の値以上であるか否かで通信可否が判断される。また計算は、仮想移動機４０２が移動する場合、仮想移動機４０２が移動ルートの終点に達するまで行われる。仮想移動機４０２が移動しない場合は、計算開始から所定時間経過後に計算を終了する。
【００５８】
計算が終了すると、計算結果データが第３メモリ１０７に出力され、格納される（ステップＣ１０）。なお、上記計算において、仮想基地局４０１から送信される信号の受信点における電界強度計算には、レイトレーシング法が用いられる事が好ましい。また、第２メモリ１０５に格納されたプログラムはレイトレーシング法に係るものである事が好ましい。
【００５９】
その後、試験終了まで、ステップＣ６乃至Ｃ１０が繰り返され、仮想移動機４０２が始点から終点まで移動した場合や所定時間経過した場合には、試験が終了する（ステップＣ１１）。試験が終了すると（ステップＣ１１でＹＥＳ）、第３メモリ１０７に格納された試験結果がプリンタ１０８または表示部１０３に出力される（ステップＣ１２）。
【００６０】
以上のように、コンピュータシュミレーションによる屋外環境と同等の仮想空間において、仮想基地局と仮想移動機との通信可否に係る性能試験を行うことにより、その仮想空間が現実に存在するものとして、その環境下での基地局の性能試験を屋内等の狭い空間でも実施可能となる。
【図面の簡単な説明】
【００６１】
【図１】図１は、本発明の基地局試験システム１０の概略図である。
【図２】図２は、図１に示された基地局試験装置１００及び基地局２００の詳細を説明するブロック図である。
【図３】図３は、本発明の基地局試験システム１０の性能試験の動作概要を示すフローチャートである。
【図４】図４は、本発明の性能試験を行うために必要な準備及び設定情報を基地局試験装置１００に入力する動作を示すフローチャートである。
【図５】図５は、本発明の基地局試験装置１００に性能試験に必要な情報を入力する際の表示部１０３表示例である。
【図６】図６は、本発明の実施の形態である、基地局試験システム１０が性能試験を行う際の動作を示すフローチャートである。
【符号の説明】
【００６２】
１０    基地局試験システム
１００  基地局試験装置
１０１  入力部
１０２  第１メモリ
１０３  表示部
１０４  操作部
１０５  第２メモリ
１０６  送受信部
１０７  第３メモリ
１０８  プリンタ
１０９  制御回路ユニット
２００  基地局
２０１  送受信部
３００  ネットワーク
４００  ポインタ
４０１  仮想基地局
４０２  仮想移動機
４０３  終点仮想移動機
【図１】
2007325111.tif 000003
【図２】
2007325111.tif 000004
【図３】
2007325111.tif 000005
【図４】
2007325111.tif 000006
【図５】
2007325111.tif 000007
【図６】
2007325111.tif 000008